(57)【特許請求の範囲】
【請求項１】
各住宅用外壁パネル（ＯＷＰ）の対向端面間に画成される縦目地（ＶＪ）と横目地（ＨＪ）との交差部の密封を強化するための縦目地シール材（２０）であって、前記縦目地シール材（２０）が、前記縦目地（ＶＪ）の内部に嵌着される細長のガスケット部材（ＧＫ）と、前記縦目地（ＶＪ）の奥部裏側で前記各住宅用外壁パネル（ＯＷＰ）の対向端面間を架橋するように且つ前記縦目地（ＶＪ）に沿って配設される止水シート部材（２１）と、前記横目地（ＨＪ）と交差するように前記縦目地（ＶＪ）の端部から更に延伸する前記止水シート部材（２１）のシート延長部（２１ａ）と、前記シート延長部（２１ａ）に密着すると共に前記各住宅用外壁パネル（ＯＷＰ）の木口（ＣＳ）間を架橋するように前記縦目地（ＶＪ）の端部を密封するシート延長部固定具（２４，３４，４４）とを具備して成り、更に、前記シート延長部（２１ａ）が、前記各住宅用外壁パネル（ＯＷＰ）の前記各木口（ＣＳ）及び前記縦目地（ＶＪ）の端部を被覆するように折り返され、且つアングル部材（２５，３５，４５）を介して固定されることを特徴とする縦目地シール材。
【請求項２】
前記止水シート部材（２１）が、発泡体（２３）をシート状に成形して成るか、又は非発泡体から成るシート状の支持体（２２）の表面に前記発泡体（２３）を層設して成ることを特徴とする請求項１に記載の縦目地シール材。
【請求項３】
前記シート延長部固定具（２４，３４，４４）が、Ｌ字状の横断面を有する金属製のアングル部材（２５，３５，４５）から成るか、又は前記アングル部材（２５，３５，４５）の表面に発泡体（２６，３６，４６）を層設して成ることを特徴とする請求項１又は２に記載の縦目地シール材。
【発明の詳細な説明】
【０００１】
【発明の属する技術分野】
本発明は各住宅用外壁パネルの対向端面間に画成される縦目地と横目地の交差部の密封を強化するための縦目地シール材に関するものである。
【０００２】
【従来の技術】
各住宅用外壁パネルを組み立てる場合、各住宅用外壁パネルＯＷＰの対向端面間に画成される従来の目地の代表的な例に、図８〜図９に示したように、縦目地ＶＪと横目地ＨＪが交差する所謂芋目地状に形成されたものがある。
図８は、前記縦目地ＶＪと前記横目地ＨＪを示す正面図であり、前記縦目地ＶＪと前記横目地ＨＪとの交差部は、前記各縦目地シール材が前記横目地シール材によって横断されるように形成されている。
【０００３】
図９は、図８のＡ−Ａ線に沿って切断して示した縦断面図である。前記縦目地ＶＪに装着される従来の縦目地シール材１０は、例えば、エチレン−プロピレンソリッドゴム材、クロロプレンリッドゴム材、エチレン−プロピレンスポンジゴム材等に代表されるソリッドゴム、スポンジゴム材や、スチレン系、オレフィン系、塩化ビニル系、ウレタン系等の熱可塑性エラストマー材、又は熱可塑性エラストマー発泡体材等のゴム様弾性材を通常細長で且つ錨状の横断面形状に押出成形されたガスケット部材ＧＫから成り、該ガスケット部材ＧＫは、その外方面が前記横目地ＨＪの外方面に揃うように、前記縦目地ＶＪの内部に嵌着されていた。
【０００４】
一方、前記横目地シール材は、通常のコーキング材等の不定形のシーリング材Ｓから成り、該シーリング材Ｓは前記横目地ＨＪの内部に充填されて、前記ガスケット部材ＧＫの上下端部に接続していた。なお、前記横目地ＨＪの奥部裏側に面する前記シーリング材Ｓの内方面は、例えばロックウール材１１によって被覆されていた。
【０００５】
【発明が解決しようとする課題】
しかしながら、前述した従来の目地シール材特に縦目地シール材１０は、前記縦目地ＶＪの内部に嵌着された前記ガスケット部材ＧＫの両側及び最奥部に僅かに生じる間隙を通った雨水等の潜り水Ｗが、前記横目地ＨＪの前記シーリング材Ｓと前記ロックウール材１１との間に浸入し、やがて室内に漏出するトラブルを招き易かった。
【０００６】
本発明は前述した従来技術の問題点を解消し、住宅用外壁パネルの建て込み作業性及び交差部及びその近傍の止水性の向上を図ることが可能な縦目地シール材を提供することを目的とするものである。
【０００７】
【課題を解決するための手段】
本発明のかかる目的は、各住宅用外壁パネルの対向端面間に画成される縦目地と横目地との交差部の密封を強化するための縦目地シール材であって、前記縦目地シール材が、前記縦目地の内部に嵌着される細長のガスケット部材と、前記縦目地の奥部裏側で前記各住宅用外壁パネルの対向端面間を架橋するように且つ前記縦目地に沿って配設される止水シート部材と、前記横目地と交差するように前記縦目地の端部から更に延伸する前記止水シート部材のシート延長部と、前記シート延長部に密着すると共に前記各住宅用外壁パネルの木口間を架橋するように前記縦目地の端部を密封するシート延長部固定具とを具備して成り、更に、前記シート延長部が、前記各住宅用外壁パネルの前記各木口及び前記縦目地の端部を被覆するように折り返され、且つアングル部材を介して固定されることを特徴とする縦目地シール材によって達成される。
【００１０】
更に、本発明のかかる目的は、前記止水シート部材が、発泡体をシート状に成形して成るか、又は非発泡体から成るシート状の支持体の表面に前記発泡体を層設して成る熱可塑性エラストマー材の発泡体をシート状に成形して成ることを特徴とする縦目地シール材によって達成される。
【００１１】
更に、本発明のかかる目的は、前記シート延長部固定具が、Ｌ字状の横断面を有する金属製のアングル部材から成るか、又は前記アングル部材の表面に発泡体を層設して成ることを特徴とする縦目地シール材によって達成される。
【００１２】
【作用】
本発明の縦目地シール材は、前記各住宅用外壁パネルの対向端面間に画成される前記縦目地と前記横目地との交差部の密封を強化するための前記縦目地シール材であって、前記縦目地シール材が、前記縦目地の内部に嵌着される前記細長のガスケット部材と、前記縦目地の奥部裏側で前記各住宅用外壁パネルの対向端面間を架橋するように且つ前記縦目地に沿って配設される前記止水シート部材と、前記横目地と交差するように前記縦目地の端部から更に延伸する前記止水シート部材の前記シート延長部と、前記シート延長部に密着すると共に前記各住宅用外壁パネルの前記木口間を架橋するように前記縦目地の端部を密封する前記シート延長部固定具とを具備して成り、更に、前記シート延長部（２１ａ）が、前記各住宅用外壁パネル（ＯＷＰ）の前記各木口（ＣＳ）及び前記縦目地（ＶＪ）の端部を被覆するように折り返され、且つアングル部材（２５，３５，４５）を介して固定されるので、前記縦目地の内部に嵌着された前記ガスケット部材の両側及び最奥部に僅かに生じる前記間隙を通った雨水等の前記潜り水は、前記シート延長部と前記シート延長部固定具とによって前記横目地及び又は前記室内への漏出が阻止される。
【００１５】
更に、本発明の縦目地シール材は、前記止水シート部材が、前記発泡体をシート状に成形して成るか、又は前記非発泡体から成る前記シート状の支持体の表面に前記発泡体を層設して成るので、前記止水シート部材によって前記住宅用外壁パネルの建て込み作業性及び前記交差部とその近傍の止水性が向上する。
【００１６】
更に、本発明の縦目地シール材は、前記シート延長部固定具が、前記Ｌ字状の横断面を有する金属製のアングル部材から成るか、又は前記アングル部材の表面に前記発泡体を層設して成るので、前記止水シート部材は前記パネル下地部材に、又は前記各住宅用外壁パネルの前記各木口及び前記縦目地の端部に前記シート延長部固定具によって確実に固定される。
【００１７】
【発明の実施の形態】
本発明の縦目地シール材の一実施形態について添付した図面に基づき以下に詳述する。なお、実施形態の説明に先立ち、本発明の参考例を説明する。図１は本発明の参考例の縦目地シール材２０の要部を一部分解して示す斜視図、図２は、図８と同様に、各住宅用外壁パネルＯＷＰの各対向端面間に画成される縦目地ＶＪと横目地ＨＪを示す正面図、更に図３は図２のＡ−Ａ線に沿って切断して示す縦断面図である。図１〜図３に示した参考例の縦目地シール材２０の要部構成は、前述した従来の縦目地シール材１０のそれと同様に、前記縦目地ＶＪに装着される縦目地シール材ＶＳは、例えば、エチレン−プロピレンソリッドゴム材、エチレン−プロピレンスポンジゴム材等に代表されるソリッドゴム、スポンジゴム材や、スチレン系、オレフィン系、塩化ビニル系、ウレタン系等の熱可塑性エラストマー材、又は熱可塑性エラストマー発泡体材等のゴム様弾性材から成り、通常細長で且つ錨状の横断面形状に押出成形されたガスケットＧＫを具備する。
【００１８】
参考例の縦目地シール材２０の要部は、前記ガスケットＧＫ以外に、前記縦目地ＶＪの奥部裏側で前記各住宅用外壁パネルＯＷＰの対向端面間を架橋するように且つ前記縦目地ＶＪに沿って配設される止水シート部材２１と、前記横目地ＨＪと交差するように前記縦目地ＶＪの端部から更に延伸する前記止水シート部材２１のシート延長部２１ａと、前記シート延長部２１ａに密着すると共に前記各住宅用外壁パネルＯＷＰの木口ＣＳ間を架橋するように前記縦目地ＶＪの端部を密封するシート延長部固定具２４とを具備して成ることを特徴とする。
【００１９】
前記止水シート部材２１は、エチレン−プロピレンソリッドゴム材、クロロピレンゴム材等の非発泡体から成るシート状の支持体２２の表面にエチレン−プロピレンスポンジゴム材、ウレタンスポンジゴム材等の発泡体２３を層設して成る。また、前記シート延長部固定具２４は、Ｌ字状の横断面を有する金属製のアングル部材２５の表面に発泡体２６を層設して成る。一方、前記シート延長部２１ａは、前記縦目地ＶＪの奥部前記各住宅用外壁パネルＯＷＰの裏側において少なくとも前記横目地ＨＪを架橋するように該横目地ＨＪに沿って配設されたパネル下地部材２９に、図１に示したように、前記支持体２２の裏面、即ち前記発泡体２３を有しない面が載置される。
【００２０】
しかる後、図３に示したように、前記シート延長部固定具２４の前記発泡体２６を有する一方の面が、前記各住宅用外壁パネルＯＷＰの木口ＣＳ間を架橋して前記縦目地ＶＪの端部を被覆し、他方の面が前記パネル下地部材２９に載置された前記シート延長部２１ａに密着し、前記アングル部材２５に設けた各ビス切欠き部２８を介して挿通される各ビス部材２７によって前記縦目地ＶＪの端部及び前記シート延長部２１ａに密着させて固定する。
しかる後、前記横目地ＨＪの内部に横目地シール材として、通常のコーキング材等の不定形のシーリング材Ｓを充填することによって前記アングル部材２５の周辺を埋め、止水処理を完了させる。
【００２１】
前述したような止水処理によって、前記アングル部材２５の前記発泡体２６は、対向する前記各住宅用外壁パネルＯＷＰの前記各木口ＣＳ、前記縦目地ＶＪの端部及び前記シート延長部２１ａの面が多少不均一な状態であっても、その弾性変形によってその密封性が適性に維持される。
また、前記発泡体の代わりに、未架橋又は半架橋のブチル系、アクリル系等の粘着材も使用できる。なお、前記止水シート部材２１は、前記パネル下地部材２９の配設範囲等の条件によって、前記支持体２２を除去して前記発泡体２３のみをシート状に成形して成るように変更することも可能である。
【００２２】
図４は前記シート延長部固定具２４の変更例であるシート延長部固定具３４の斜視図である。この変更例は、Ｌ字状の横断面を有する金属製のアングル部材３５の表面に発泡体３６を層設して成る一方、各ビス部材３７のための各ビス切欠き部３８を設けると共に、更に易変形用切欠き部３９を前記各ビス切欠き部３８間に設けて、前記アングル部材２５の対向面への変形対応に自由度を付与させるものである。
【００２３】
図５は前記シート延長部固定具２４の他の変更例であるシート延長部固定具４４の斜視図である。この変更例は、Ｌ字状の横断面を有する金属製のアングル部材４５の表面に発泡体４６を層設して成る一方、各ビス部材４７のための各ビス切欠き部４８を設けると共に、更に複数個の易変形用切欠き部４９，５０を前記アングル部材４５の各辺に設けて、前記アングル部材４５の対向面への変形対応に一層の自由度を付与させるものである。
【００２４】
図６は本発明の縦目地シール材の実施形態を示す斜視図である。ここに示す実施形態は、図１に示した縦目地シール材２０のものと比べ、前記シート延長部２１ａが、前記各住宅用外壁パネルＯＷＰの前記各木口ＣＳ及び前記縦目地ＶＪの端部を被覆するように折り返され、且つ前記アングル部材２５を介して前記各木口ＣＳに固定される点が異なる。なお、この実施形態において、前記シート延長部固定具２４、３４，４４は、前記発泡体２６，３６、４６を除去しても、折り返された前記シート延長部２１ａの弾性変形に依存して前記金属製のアングル部材２５，３５，４５のみで構成させることが可能である。また、前記発泡体２６，３６、４６の代わりに、前記粘着材を使用すれば、前記シート延長部２１ａの裏面２を一層確実に密着できる。
【００２５】
【発明の効果】
以上、記述した本発明の縦目地シール材は、次に記すような新規な効果を奏するものである。即ち、本発明の縦目地シール材は、前記各住宅用外壁パネルの対向端面間に画成される前記縦目地と前記横目地との交差部の密封を強化するための前記縦目地シール材であって、前記縦目地シール材が、前記縦目地の内部に嵌着される前記細長のガスケット部材と、前記縦目地の奥部裏側で前記各住宅用外壁パネルの対向端面間を架橋するように且つ前記縦目地に沿って配設される前記止水シート部材と、前記横目地と交差するように前記縦目地の端部から更に延伸する前記止水シート部材の前記シート延長部と、前記シート延長部に密着すると共に前記各住宅用外壁パネルの前記木口間を架橋するように前記縦目地の端部を密封する前記シート延長部固定具とを具備して成り、更に、前記シート延長部が、前記各住宅用外壁パネルの前記各木口及び前記縦目地の端部を被覆するように折り返され、且つアングル部材を介して固定されるので、前記シート延長部と前記シート延長部固定具とによって、前記縦目地の内部に嵌着された前記ガスケット部材の両側及び最奥部に僅かに生じる前記間隙を通った雨水等の前記潜り水の前記横目地及び又は前記室内への漏出を阻止することが可能になった。
【００２８】
更に、本発明の縦目地シール材は、前記止水シート部材が、前記発泡体をシート状に成形して成るか、又は前記シート状の支持体の表面に前記発泡体を層設して成るので、前記止水シート部材によって前記住宅用外壁パネルの建て込み作業性及び前記交差部とその近傍の止水性を向上させることが可能になった。
【００２９】
更に、本発明の縦目地シール材は、前記シート延長部固定具が、Ｌ字状の横断面を有する金属製のアングル部材から成るか、又は前記アングル部材の表面に前記発泡体を層設して成るので、前記止水シート部材を前記パネル下地部材に、又は前記各住宅用外壁パネルの前記各木口及び前記縦目地の端部に前記シート延長部固定具によって確実に固定することが可能になった。
【図面の簡単な説明】
【図１】本発明の参考例の縦目地シール材の要部を一部分解して示す斜視図である。
【図２】各住宅用外壁パネルの各対向端面間に画成される縦目地と横目地を示す正面図である。
【図３】図２のＡ−Ａ線に沿って切断して示す縦断面図である。
【図４】シート延長部固定具の変更例を示す斜視図である。
【図５】シート延長部固定具の他の変更例を示す斜視図である。
【図６】本発明の実施形態の縦目地シール材の要部を一部分解して示す斜視図である。
【図７】図２に準じてＡ−Ａ線に沿って切断して示す他の縦目地シール材の縦断面図である。
【図８】各住宅用外壁パネルの各対向端面間に画成される従来の縦目地と横目地を示す正面図である。
【図９】図８のＡ−Ａ線に沿って切断して示す従来の縦目地と横目地の縦断面図である。
【符号の説明】
１０      従来の縦目地シール材
１１      ロックウール
ＯＷＰ    住宅用外壁パネル
ＶＪ      縦目地
ＨＪ      横目地
ＧＫ      ガスケット部材
Ｓ        シーリング材
Ｗ        潜り水
２０      本発明の縦目地シール材
２１      止水シート部材
２１ａ    シート延長部
２２      支持体
２３      発泡体
２４      シート延長部固定具
３４      シート延長部固定具
４４      シート延長部固定具
２５      アングル部材
３５      アングル部材
４５      アングル部材
２６      発泡体又は粘着材
３６      発泡体又は粘着材
４６      発泡体又は粘着材
２７      ビス部材
３７      ビス部材
４７      ビス部材
２８      ビス用切欠き部
３８      ビス用切欠き部
４８      ビス用切欠き部
２９      パネル下地部材
３９      易変形用切欠き部
４９      易変形用切欠き部
５０      易変形用切欠き部
ＣＳ      木口
【図１】
0004115652.tif 000002
【図２】
0004115652.tif 000003
【図３】
0004115652.tif 000004
【図４】
0004115652.tif 000005
【図５】
0004115652.tif 000006
【図６】
0004115652.tif 000007
【図７】
0004115652.tif 000008
【図８】
0004115652.tif 000009
【図９】
0004115652.tif 000010